(57)【要約】      （修正有）【課題】原稿が載置されるコンタクトガラスを上面に有するスキャナー筐体と該コンタクトガラスの上面を開閉可能に覆う原稿押さえカバーとを有する画像読取装置を備えたが画像形成装置において、製品出荷時等に原稿押さえカバーが意図せずに開閉するのを安価且つ容易に防止する。【解決手段】画像形成装置１は、画像読取装置３の原稿押さえカバー８が閉状態にあるときに当該画像形成装置に設けられた操作パネル１０を所定操作することで当該原稿押さえカバー８をロックするロック機構を備えている。【選択図】図５
2019092139.tif 000002
【特許請求の範囲】
【請求項１】
原稿が載置されるコンタクトガラスを上面に有するスキャナー筐体と該コンタクトガラスの上面を開閉可能に覆う原稿押さえカバーとを有する画像読取装置を備えたが画像形成装置であって、
上記原稿押さえカバーが閉状態にあるときに当該画像形成装置に設けられた所定機器を所定操作することで当該原稿押さえカバーをロックするロック機構を備えた画像形成装置。
【請求項２】
請求項１記載の画像形成装置において、
上記所定機器は、当該画像形成装置の操作パネルである、画像形成装置。
【請求項３】
請求項２記載の画像形成装置において、
上記操作パネルは、所定方向にスライド可能であり、
上記ロック機構は、上記操作パネルのスライド操作に連動して上記所定方向にスライにするスライド部材を有していて、上記操作パネルを上記所定方向にスライド操作することで、該スライド部材が上記原稿押さえカバーをロックするロック位置と、該ロックが解除されたアンロック位置との間で移動するように構成されている、画像形成装置。
【請求項４】
請求項３記載の画像形成装置において、
上記スキャナー筐体は、上記本体筐体の上部に固定されており、
上記原稿押さえカバーは中空状をなしており、
上記操作パネルは、上記本体筐体の側方にて水平軸部回りに回動することで、操作面が上方を向く倒伏姿勢と、該倒伏姿勢よりも起立して操作面がユーザー側を向く起立姿勢とに切替え可能とされ、
上記ロック機構は、上記操作パネルの操作面側とは反対側面に固定され、上記水平軸部を支点とする円弧状に形成された被ガイド部材をさらに備え、
上記スライド部材は、上記被ガイド部材を上記水平軸部を支点とする円弧方向にガイドするガイド部と、上記原稿押さえカバーの底壁を上下方向に貫通して上端部に爪部を有し且つ下端部が上記原稿押さえカバーの底壁より下側に位置する係合バー部と、該係合バー部と上記ガイド部とを連結する連結バー部とを有し、
上記原稿押さえカバーの底壁部には、上記係合バー部が貫通する貫通孔が形成され、
上記貫通孔は、上記スライド部材が上記ロック位置にあるときには該貫通孔の端縁部に上記爪部が引っ掛かる一方、上記アンロック位置にあるときには上記爪部の通過を許容するように形成されている、画像形成装置。
【請求項５】
請求項４記載の画像形成装置において、
上記操作パネルが上記倒伏姿勢になると、上記被ガイド部材と上記ガイド部とを凸部と凹部との係合により固定して該操作パネルを該倒伏姿勢で固定する固定機構をさらに備えている、画像形成装置。
【請求項６】
請求項４又は５記載の画像形成装置において、
上記係合バー部の上端部における上記爪部側とは反対側には、上記スライド部材の位置決め用の爪部が突設され、
上記原稿押さえカバーの側壁には、上記スライド部材が上記ロック位置にある場合と上記アンロック位置にある場合とでそれぞれ、上記位置決め用の爪部に係合する一対の係合孔が形成されている、画像形成装置。
【発明の詳細な説明】
【技術分野】
【０００１】
本発明は、画像形成装置に関する。
【背景技術】
【０００２】
従来、複写機等の画像形成装置に搭載される画像読取装置として、原稿が載置されるコンタクトガラスを上面に有するスキャナー筐体と、スキャナー筐体内に収容され、コンタクトガラス上の原稿の画像を読取る画像読取装置と、コンタクトガラス上の原稿を押さえる原稿押さえカバーとを備えたものが知られている（例えば、特許文献１参照）。
【０００３】
上記原稿押さえカバーは、コンタクトガラスに対して上方に開閉可能に構成されている。原稿押さえカバーの上面には原稿自動給紙装置が設けられている。
【０００４】
この種の画像形成装置では、例えば製品出荷時（運搬時）に原稿押さえカバーが不用意に開閉して破損する虞がある。このため、製品出荷時等には、原稿押さえカバーを閉じた状態で粘着テープ等で固定するようにしている。
【先行技術文献】
【特許文献】
【０００５】
【特許文献１】特開２０１４−２１１６２０号公報
【発明の概要】
【発明が解決しようとする課題】
【０００６】
しかしながら、従来のように原稿押さえカバーを粘着テープで固定するようにした場合、粘着テープを貼り付けるための作業コスト及び粘着テープの購入コストが必要となり、コスト増加を招いてしまう。
【０００７】
本発明は、かかる点に鑑みてなされたものであり、その目的とするところは、製品出荷時等に原稿押さえカバーが意図せずに開閉するのを安価且つ容易に防止することにある。
【課題を解決するための手段】
【０００８】
本発明に係る画像形成装置は、原稿が載置されるコンタクトガラスを上面に有するスキャナー筐体と該コンタクトガラスに対して上方向に開閉可能な原稿押さえカバーとを有する画像読取装置を備えている。
【０００９】
そして、上記画像読取装置の上記原稿押さえカバーが閉状態にあるときに当該画像形成装置に設けられた所定機器を所定操作することで当該原稿押さえカバーをロックするロック機構を備えている。
【発明の効果】
【００１０】
本発明によれば、製品出荷時等に原稿押さえカバーが意図せずに開閉するのを安価且つ容易に防止することができる。
【図面の簡単な説明】
【００１１】
【図１】図１は、実施形態における画像形成装置を示す外観斜視図である。
【図２】図２は、画像形成装置の原稿押さえカバーを開いた状態を示す外観斜視図である。
【図３】図３は、画像形成装置の原稿押さえカバーを閉じて且つ操作パネルを倒伏させた状態を示す外観斜視図である。
【図４】図４は、図３のIV方向斜視図である。
【図５】図５は、図３における画像形成装置を操作パネルの左右方向の中央位置を通る鉛直面で切断したカットモデルである。
【図６】図６は、ロック機構を示す右側側面図である。
【図７】図７は、図６のVII−VII線断面図である。
【図８】図８は、図６のVIII部を拡大して示す拡大図である。
【図９】図９は、原稿押さえカバーの底壁部におけるスライド部材が貫通する部分を拡大して示す拡大斜視図である。
【図１０】図１０は、原稿押さえカバーの底壁部の貫通孔とスライド部材の爪部との位置関係を示す平面図であって、スライド部材が左スライド位置（アンロック位置）にある状態を示す図である。
【図１１】図１１は、スライド部材が右スライド位置（ロック位置）にある状態を示す図１０相当図である。
【図１２】図１２は、変形例を示す図９相当図である。
【発明を実施するための形態】
【００１２】
以下、本発明の実施形態を図面に基づいて詳細に説明する。尚、本発明は、以下の実施形態に限定されるものではない。
【００１３】
《実施形態》
図１は、実施形態における画像形成装置１を示している。この画像形成装置１は、印刷機能の他にスキャナー機能とファックス機能とコピー機能とを有する複合機（ＭＦＰ）である。尚、以下の説明において、前側、後側は、画像形成装置１の前側、後側を意味し、左側、右側は、画像形成装置１を前側から見たときの左側、右側を意味するものとする。
【００１４】
画像形成装置１は、本体筐体２と、本体筐体２の上部に配置された画像読取装置３とを備えている。本体筐体２は、その上下方向の中間部に配置された印刷部４と、印刷部４の下側に配置された給紙カセット５とを有している。給紙カセット５内には印刷用の用紙が収容されている。印刷部４は、給紙カセット５より供給される用紙に対して所定の画像データに基づいて印刷を行う。印刷部４における印刷方式には電子写真方式が採用されている。すなわち、印刷部４は、感光体ドラムの表面に画像データに対応するレーザー光を照射して静電潜像を形成し、この静電潜像をトナーで現像して用紙に転写する。
【００１５】
上記画像読取装置３は、上面にコンタクトガラス６が嵌装されたスキャナー筐体７を有している。コンタクトガラス６の上面には原稿が載置される。スキャナー筐体７内には、コンタクトガラス６上の原稿を光学的に読取る画像読取りユニット（図示省略）が収容されている。スキャナー筐体７の後端部には、原稿押さえカバー８が回動可能に支持されている。原稿押さえカバー８は、コンタクトガラス６に対して上方に開閉可能になっている。図１は、原稿押さえカバー８が閉じた状態を示し、図２は原稿押さえカバー８が開いた状態を示している。
【００１６】
原稿押さえカバー８は、底壁と上壁と両者を連結する側壁とを有する中空状部材からなる。原稿押さえカバー８の上面には自動原稿送り装置９が設けられている。自動原稿送り装置９は、原稿押さえカバー８が閉じた状態で原稿給紙トレイ９ａにセットされた原稿を所定の搬送経路に沿ってコンタクトガラス６上の画像読取位置に供給する。画像読取位置を通過した原稿は原稿排紙トレイ９ｂに排出される。
【００１７】
上記画像読取装置３の前側方には操作パネル（所定機器）１０が設けられている。操作パネル１０の操作面１０ａには、テンキーやスタートキー等の操作ボタン及び液晶ディスプレイからなる表示部が設けられている。操作パネル１０の背面側には、原稿押さえカバー８を閉状態でロックするためのロック機構１００（図６参照）が設けられている。ロック機構１００の詳細については後述する。
【００１８】
操作パネル１０はパネル支持部１１に水平軸部１２を介して支持されている。操作パネル１０は、水平軸部１２回りに回動可能になっている。パネル支持部１１は中空偏平状の樹脂部材からなる。パネル支持部１１は、本体筐体２の前側壁から片持ち状に突出している。パネル支持部１１は、前側に向かってやや上側に傾斜している。
【００１９】
パネル支持部１１の先端部には上記水平軸部１２が固定されている。水平軸部１２は、左右方向に水平に延びてパネル支持部１１の左右の側壁を貫通している。
【００２０】
図４に示すように、操作パネル１０の背面（操作面１０aとは反対側面）１０ｂには、一対の板状リブ１０ｃが左右方向に間隔を空けて突設されている。各板状リブ１０ｃには、水平軸部１２の両端部に嵌合する嵌合孔１０ｄが形成されている。操作パネル１０は、一対の板状リブ１０ｃを介して水平軸部１２に回動可能に支持されている。操作パネル１０は、操作面１０ａが上方（僅かに斜め上側を向く状態も含む）を向く倒伏姿勢（図３参照）と、該倒伏姿勢よりも起立してユーザー側を向く起立姿勢（図２参照）との間で回動可能になっている。水平軸部１２の両端部と嵌合孔１０ｄとの嵌合精度はきつめに設定されている。したがって、嵌合孔１５ｄの内面と水平軸部１２の周面との摩擦により操作パネル１０を起立姿勢と倒伏姿勢との間の任意の角度で保持することができる。
【００２１】
一対の板状リブ１０ｃの内面同士の間隔Ａは、パネル支持部１１の左右方向の幅Ｂよりも広い。したがって、操作パネル１０は、水平軸部１２に沿って左右方向に差分量Ｃ（＝Ａ−Ｂ）だけスライド可能になっている。操作パネル１０は、図４中の実線で示す左スライド位置と、該左スライド位置よりも差分量Ｃ（＝Ａ−Ｂ）だけ右側に位置する右スライド位置（図４中の二点鎖線で示す位置）との間でスライド可能になっている。左スライド位置がアンロック位置に相当し、右スライド位置がロック位置に相当する。
【００２２】
図５に示すように、操作パネル１０の背面側にはロック機構１００が設けられている。ロック機構１００は、操作パネル１０を左右方向にスライド操作することで原稿押さえカバー８をロック状態とアンロック状態とに切替え可能に構成されている。
【００２３】
具体的には、ロック機構１００は、操作パネル１０の背面１０ｂに固定されたガイド筒（被ガイド部材）１３と、本体筐体２の前側壁を挟んでその両側に跨る全体視略Ｕ字状のスライド部材１４とを備えている。
【００２４】
ガイド筒１３は、左右方向から見て水平軸部１２を支点とする円弧状に形成されている。ガイド筒１３の一端部は、操作パネル１０の背面１０ｂにおける水平軸部１２側とは反対側の端部に固定されている。ガイド筒１３の他端部は自由端とされている。
【００２５】
スライド部材１４は、ガイド部１４ａ、係合バー部１４ｂ及び連結バー部１４ｃを備えている。
【００２６】
ガイド部１４ａは、水平軸部１２を支点とする円弧方向に延びてパネル支持部１１の上壁を貫通している。パネル支持部１１の上壁には、ガイド部１４ａが貫通する貫通孔１１ｂ（図５では貫通孔１１ｂの端部のみ図示している）が形成されている。貫通孔１１ｂは、スライド部材１４の左右方向の移動を許容するべく左右方向に長い長孔状に形成されている。
【００２７】
係合バー部１４ｂは、本体筐体２内の上端部付近から原稿押さえカバー８内まで延びている。係合バー部１４ｂの上端部には原稿押さえカバー８をロックするための三角柱状の爪部１４ｄが形成されている。爪部１４ｄの下端は原稿押さえカバー８の底壁に当接するか又は僅かに隙間を空けて設けられている。スキャナー筐体７の底壁及び上壁及び原稿押さえカバー８の底壁にはそれぞれ、係合バー部１４ｂが貫通する貫通孔７ａ，７ｂ，８ｂが形成されている。各貫通孔７ａ，７ｂ，８ｂは、スライド部材１４の左右方向のスライド移動を許容するべく左右方向に長い長孔状に形成されている。
【００２８】
連結バー部１４ｃは、本体筐体２の前側壁に形成された貫通孔２ａを前後方向に貫通している。連結バー部１４ｃは、ガイド部１４ａの下端部と係合バー部１４ｂの下端部とを連結している。貫通孔２ａは、スライド部材１４の左右方向のスライドを許容するべく左右方向に長い長孔状に形成されている。連結バー部１４ｃの下端面は平面状をなしていて摺動台１５の上面に当接している。摺動台１５は、連結バー部１４ｃが左右方向に摺動し易いように低摩擦部材で構成されている。摺動台１５は、本体筐体２内の上端部に不図示のブラケットを介して固定支持されている。
【００２９】
図６の実線で示すように、ガイド部１４ａは、操作パネル１０が回動操作されて倒伏姿勢になるとガイド筒１３内に嵌合する。この嵌合状態では、ガイド部１４ａの外壁面がガイド筒１３の内壁面に摺動可能に密着している（図７参照）。ガイド筒１３内にガイド部１４ａが嵌合（内挿）されることで、操作パネル１０は、スライド部材１４に対して一体的に連結される。一方、操作パネル１０を倒伏姿勢から図６の反時計回り方向に回動させて起立姿勢にすると（図６の二点鎖線参照）、ガイド筒１３がガイド部１４ａから抜け出て操作パネル１０とスライド部材１４との連結が遮断される。
【００３０】
図８に示すように、ガイド部１４ａの上端部の後側壁面には球面状の係合凸部１４ｅが形成されている。ガイド筒１３の上端部の内壁面には上記係合凸部１４ｅに係合する係合凹部１３ａが形成されている。係合凸部１４ｅと係合凹部１３ａとが係合することで、操作パネル１０が倒伏状態で固定される。係合凸部１４ｅと係合凹部１３ａとの係合は、ユーザーが操作パネル１０を起立側に回動させることで無理なく解除される。係合凸部１４ｅ及び係合凹部１３ａが固定機構を構成している。
【００３１】
図９は、原稿押さえカバー８の底壁８ａのうちスライド部材１４の係合バー部１４ｂが貫通する部分を拡大して示している。貫通孔８ｂは、第一貫通部８ｃと第二貫通部８ｄとで構成されている。第二貫通部８ｄは、該第一貫通部８ｃの右側に隣接して形成されている。第二貫通部８ｄの前後方向の幅は、第一貫通部８ｃの前後方向の幅よりも小さい。
【００３２】
図１０に示すように、スライド部材１４が左スライド位置にある状態では、係合バー部１４ｂが第一貫通部８ｃ内を貫通している。第一貫通部８ｃは、原稿押さえカバー８が開閉された際に爪部１４ｄの通過を許容するように形成されている。図１１に示すように、スライド部材１４が右スライド位置にある状態では、係合バー部１４ｂが第二貫通部８ｄ内を貫通している。第二貫通部８ｄは、原稿押さえカバー８が開閉された際にその後側の端縁部に爪部１４ｄが引っ掛かるように形成されている。
【００３３】
以上のように構成された画像形成装置１では、作業者が操作パネル１０を倒伏姿勢にして、その背面１０ｂのガイド筒１３をスライド部材１４のガイド部１４ａに嵌合させると操作パネル１０とスライド部材１４とが一体的に連結される。この状態で操作パネル１０を右側にスライドさせると、図１１に示すように、スライド部材１４の係合バー部１４ｂが第二貫通部８ｄ内に移動して爪部１４ｄが原稿押さえカバー８を開放不能にロックする。
【００３４】
したがって、製品出荷時等に、粘着テープ等を使用することなく簡単な操作（操作パネル１０のスライド操作）で原稿押さえカバー８を閉状態にロックすることができる。よって、粘着テープの貼り付けに必要な作業コスト及び粘着テープの購入コストを削減することができる。
【００３５】
また、本実施形態では、操作パネル１０を倒伏姿勢にすると、ガイド筒１３の係合凹部１３ａとスライド部材１４の係合凸部１４ｅとが係合して操作パネル１０がロックされる。したがって、原稿押さえカバー８のロックと同時に操作パネル１０もロックすることができる。よって、操作パネル１０が意図せずに回動して破損するのを防止することができる。
【００３６】
−変形例−
図１２は、上記実施形態の変形例を示す図９相当図である。この変形例では、スライド部材１４の係合バー部１４ｂの先端部の形状が上記実施形態とは異なっている。この点を除く他の構成は上記実施形態と同じである。
【００３７】
すなわち、本変形例では、係合バー部１４ｂの先端部には、原稿押さえカバー８のロック用の爪部１４ｄに加えて、スライド部材１４の位置決め用の爪部１４ｆが設けられている。位置決め用の爪部１４ｆは、係合バー部１４ｂの上端部における上記ロック用爪部１４ｄ側とは反対側に設けられている。原稿押さえカバー８の前側壁８ｅには、この位置決め用の爪部１４ｆに係合する左側係合孔８ｆ及び右側係合孔８ｇが設けられている。左側係合孔８ｆは、スライド部材１４が左スライド位置（アンロック位置）にあるときに該爪部１４ｆに係合し、右側係合孔８ｇは、スライド部材１４が右スライド位置（ロック位置）にあるときに該爪部１４ｆに係合する。
【００３８】
本変形例によれば、スライド部材１４が製品運搬時の振動等により操作パネル１０と連動せずに勝手に動いてしまうのを防止することができる。よって、操作パネル１０とスライド部材１４との左右方向の位置関係を常に一定に保つことができる。よって、操作パネル１０を倒伏させた際に、ガイド筒１３がスライド部材１４のガイド部１４ａに嵌らずに作業が複雑化するのを防止することができる。
【００３９】
ここで、各係合孔８ｆ，８ｇは、位置決め用の爪部１４ｆの先端の僅かな部分だけが係合するように形成されている。したがって、操作パネル１０をスライドさせると、各係合孔８ｆ，８ｇと爪部１４ｆとの係合を容易に解除することができる。また、スライド部材１４が左スライド位置（アンロック位置）にあるときに、左側係合孔８ｆと爪部１４ｆとの係合により原稿押さえカバー８の開き操作が妨げられることもない。
【産業上の利用可能性】
【００４０】
以上説明したように、本発明は、画像形成装置について有用であり、特に、複写機又は複合機（ＭＦＰ）に適用する場合に有用である。
【符号の説明】
【００４１】
１      ：画像形成装置
２      ：本体筐体
３      ：画像読取装置
６      ：コンタクトガラス
７      ：スキャナー筐体
８      ：原稿押さえカバー
８ｂ    ：貫通孔
８ｃ    ：第一貫通部
８ｄ    ：第二貫通部
８ｆ    ：係合孔
８ｇ    ：係合孔
１０    ：操作パネル
１０ａ  ：操作面
１０ｂ  ：背面
１１    ：パネル支持部
１２    ：水平軸部
１３    ：ガイド筒（被ガイド部材）
１３ａ  ：係合凹部（固定機構）
１４    ：スライド部材
１４ａ  ：ガイド部
１４ｂ  ：係合バー部
１４ｃ  ：連結バー部
１４ｄ  ：爪部
１４ｅ  ：係合凸部（固定機構）
１４ｆ  ：爪部
１００  ：ロック機構
【図１】
2019092139.tif 000003
【図２】
2019092139.tif 000004
【図３】
2019092139.tif 000005
【図４】
2019092139.tif 000006
【図５】
2019092139.tif 000007
【図６】
2019092139.tif 000008
【図７】
2019092139.tif 000009
【図８】
2019092139.tif 000010
【図９】
2019092139.tif 000011
【図１０】
2019092139.tif 000012
【図１１】
2019092139.tif 000013
【図１２】
2019092139.tif 000014